(57)【要約】【課題】射出成形で入手可能な利用可能性のもとで、最適な塗布特性及びコーミング特性とを有し、使用者にとって気持ちよく、好都合な操作性によって特徴付けられるブラシを作り出す。【解決手段】化粧物質を塗布するためのブラシ、特にマスカラブラシ又はヘアーカラーリングブラシにおいて、当該ブラシは、一体でプラスチックから射出成形され、ロッドへの接続のための第一部分と第二部分を備えて成り、前記第二部分は、複数のブラシ毛が放射状外側に突出する主ボディを有し、多角形断面として構成される主ボディ（４）が設けられる。【選択図】図３
2007044524.tif 000002
【特許請求の範囲】
【請求項１】
化粧物質を塗布するためのブラシ、特にマスカラブラシ又はヘアカラーリングブラシであって、一体でプラスチックから射出成形され、且つ、ロッドへの接続のための第一部分と第二部分とを備えて成り、前記第二部分は複数のブラシ毛が放射状外側に突出する主ボディを有するブラシにおいて、主ボディ（４）は、主ボディの断面構造の包絡面直径（Ｈ）が１．５ｍｍ〜６．０ｍｍの間、好ましくはおよそ２．５ｍｍであり、且つ、ブラシ毛リングの外周でブラシ毛密度が、３６０°あたり５〜３５本のブラシ毛である多角形断面として構成されることを特徴とするブラシ。
【請求項２】
主ボディ（４）は、断面では異なった側面長さを有し、特に長方形であって、ブラシ毛（５）の第一グループは、主ボディ（４）の端壁（７）から離れて延在し、ブラシ毛（５）の第二グループは、主ボディ（４）の側壁（６）から離れて延在することを特徴とする請求項１に記載のブラシ。
【請求項３】
端壁（７）から離れて延在するブラシ毛（５）は、実質的に同一の長さと主ボディ（４）の自由端（９）領域でだけ任意に次第に細くなる包絡線（１１）とを有することを特徴とする請求項２に記載のブラシ。
【請求項４】
主ボディ（４）の側壁（６）から離れて延在するブラシ毛（５）は、ブラシが長手方向で見て、くぼんだ凹部を有するように包絡線（８）を有することを特徴とする請求項３に記載のブラシ。
【請求項５】
断面で主ボディ（４）は、同一の側面長さを備えた多角形によって形成されることを特徴とする請求項１に記載のブラシ。
【請求項６】
主ボディ（４）の自由端（９）領域での包絡線（８）は、概して、自由端に向かって次第に細くなって形成されることを特徴とする請求項３に記載のブラシ。
【請求項７】
ブラシ毛（５）は、０．６ｍｍ未満の根本幅を有し、断面では円形に作られ、円錐形状を有することを特徴とする請求項１〜６のいずれか一項に記載のブラシ。
【請求項８】
ブラシ毛間隔（Ａ）が、０．２０ｍｍ〜２．０ｍｍの間であることを特徴とする請求項７に記載のブラシ。
【請求項９】
ブラシ毛（５）は、円柱形構造を有し、それらの先端領域でだけ円錐形状に又はのみ状にとがらせられることを特徴とする請求項７に記載のブラシ。
【請求項１０】
ブラシ毛（５）は、ブラシ毛リング状の構造で主ボディ（４）まわりに配置されることを特徴とする請求項７に記載のブラシ。
【請求項１１】
ブラシ毛リング状のブラシ毛（５）は、断面では円形の包絡面を有することを特徴とする請求項１０に記載のブラシ。
【請求項１２】
各ブラシ毛リングは、８本のブラシ毛（５）を備えて成ることを特徴とする請求項１０又は１１に記載のブラシ。
【請求項１３】
ブラシ毛（５）の根本部分は、共に接近した間隔で配置されることを特徴とする請求項１に記載のブラシ。
【請求項１４】
長手方向に連続したブラシ毛リングのブラシ毛（５）は、ブラシ毛根が断面で見て、一種の詰め込まれた最も密集した球面を有するように、互いに対して角度をつけてオフセットされることを特徴とする請求項１２に記載のブラシ。
【請求項１５】
ロッドへの接続のために設けられた部分（２）は、その少なくとも一部分（領域１２）に沿って五角形断面に構成されることを特徴とする請求項１に記載のブラシ。
【発明の詳細な説明】
【技術分野】
【０００１】
本発明は、化粧品物質を塗布するためのブラシ、特にマスカラブラシ又はヘアカラーリングブラシに関し、当該ブラシは、一体でプラスチックから射出成形され、且つ、ロッドへの接続のための第一部分と第二部分とを備えて成り、前記第二部分は、複数のブラシ毛乃至剛毛が放射状外側に突出する主ボディを有する。
【背景技術】
【０００２】
従来、このタイプのブラシは、ブラシ毛がらせん状にねじられたワイアの間に固定されるように製造されてきた。この製造技術の性質に起因して、ブラシ毛の成形と配置のための構成の選択肢は制限されてきた。
【０００３】
射出成形により製造されるブラシの場合、対照的に、ブラシが型から取り外しできる必要があるという事実に対してだけ実質的に考慮する必要がある一方で、他の点では、構成の選択肢の非常に広範囲な多様性が存在する。
【発明の開示】
【発明が解決しようとする課題】
【０００４】
これを出発点として、本発明は、射出成形で入手可能な利用可能性のもとで、最適な塗布特性及びコーミング特性とを有し、使用者にとって気持ちよく、好都合な操作性によって特徴付けられるブラシを作り出す目的に基づく。
【課題を解決するための手段】
【０００５】
この目的は、主ボディが多角形断面として構成され、主ボディの断面構造の包絡面の直径（Ｈ）が１．５〜６．０ｍｍの間、好ましくはおよそ２．５ｍｍであり、ブラシ毛リングの外周でブラシ毛密度が、３６０°あたり５〜３５本のブラシ毛であるようにして達成される。
【０００６】
特に主ボディは、断面では異なった側面長さを有し、特に長方形であるように設けられ、ブラシ毛の第一グループは主ボディの端壁（end wall）から離れて延在し、ブラシ毛の第二グループは、主ボディの側壁（side wall）から離れて延在する。
【０００７】
したがって、異なったブラシ毛構造を備えた多角形の異なる側面、故に、特に長方形の端壁と側壁とを設けることが可能であり、当該構造は、したがって、異なったコーミング特性、塗布特性、及び、移送特性を有する。
【０００８】
所与の特定の特性を活用するために、ブラシを扱う人は、多角形のそれぞれの角度について、すなわち、例えば９０°だけそれを回転することだけを必要とする。
【０００９】
端壁から離れて延在するブラシ毛は、有利には、実質的に同一の長さと主ボディの自由端領域でだけ任意に次第に細くなる包絡線とを有する。
【００１０】
他方で、主ボディの側壁から離れて延在するブラシ毛は、それが長手方向で見てくぼんだ凹部を有するように、少なくとも一つの側面で包絡線を有する。
【００１１】
主ボディは、代わりに、断面において同一の側面長さを備えた多角形によって成形されることもありえる。
【００１２】
主ボディの自由端部領域において、それ自体はねじられたブラシから知られているように、自由端部の方へ概して次第に細くなって包絡線は構成されえる。
【００１３】
ブラシ毛は、好ましくは、０．６ｍｍ未満の根本幅を有し、断面において円形であり、円錐形状で設けられる。
【００１４】
代わりに、ブラシ毛は、円柱形構造を有し、それらの先端領域でだけ円錐形状に又はのみ形状にとがらせられる。
【００１５】
ブラシ毛は、有利には、これらブラシ毛リング状の構造におけるブラシ毛が断面では円形の包絡面を有し、且つ、各ブラシ毛リングが例えば８本のブラシ毛を備えて成るように、ブラシ毛リング状の構造で主ボディまわりに配置される。
【００１６】
高いトリム密度（trim density）を達成するために、ブラシ毛は、有利には、それら根本領域において接近した間隔で配置される。
【００１７】
長手方向に連続するブラシ毛リングのブラシ毛は、ブラシ毛根が断面において一種の詰め込まれた最も密集した球面乃至範囲（most dense sphere packing）を有するように、すなわち、言い換えれば、最大限に可能なトリム密度を有するように、互いに対して角度をつけてオフセットされえる。
【００１８】
更に、ロッドへの接続のために設けられる部分が少なくともそれの一部分に沿って五角形断面に構成されて設けられるので、ロッドがスポット圧入（spot press-fitting）又は熱スポット溶接（thermal spot welding）を用いてつけられる場合、圧入工具又は溶接スタンプは、いずれの場合においても、その接触圧力移動乃至運動に対しておよそ垂直である向かい合った表面を見つけ出す。
【発明を実施するための最良の形態】
【００１９】
本発明は、図を併用して好ましい例示的な実施形態に基づき以下により詳細に説明される。
【００２０】
図に示された発明のブラシ１は、ロッドへの接続のための第一部分２と複数のブラシ毛５が放射状外側に突出する主ボディ４を有する第二部分３とを備えて成る。
【００２１】
特に図３から明らかなように、主ボディ４は、側壁６と端壁７と備えた実質的に長方形の断面を有する。
【００２２】
図１から見て取れるように、側壁６は、ブラシ毛５からなるトリムを有し、長手方向で見てその包絡線は、くぼんだ凹部８を有し、その自由端９において、１０からこの自由端９の方へ円錐上に次第に細くなる。ブラシ毛５は、円錐状の基礎形状を有する。図２から、ブラシ毛は、長手方向で見てブラシ毛の近接する列が互い違いになるように、共に接近して配置されるのが明らかなので、利用可能な空間は、最適に用いられ、一種の詰め込まれた最も密集した球面が作り出される。
【００２３】
図２から見て取れるように、端壁７上のブラシ毛５は、自由端９の方へ円錐状に次第に細くなる部分１１を有する実質的に円柱状の包絡線を有する。
【００２４】
端壁７と側壁６上で、ブラシ毛５からなるトリムの上述した異なった構成の結果として、異なる移送特性、塗布特性、コーミング特性が達成されるので、使用者は、９０°だけブラシを回すことによって、これら個々の特性の間で選択することができる。
【００２５】
第一部分２は、図４から明らかなように、五角形断面である領域１２を有するので、スリーブ状にこの部分に重なるロッドへそれをつけるプロセスの間、熱圧入器具は、実質的に垂直に向かい合った表面に対向する。
【図面の簡単な説明】
【００２６】
【図１】発明のブラシの側面図を示す。
【図２】図１に対して９０°位置を変えた側面図を示す。
【図３】主ボディ領域におけるブラシを貫いた断面を示す。
【図４】図１のIV−IV線に沿ってブラシを貫いた断面を示す。
【図５】発明のブラシの斜視図を示す。
【符号の説明】
【００２７】
２    第一部分
３    第二部分
４    主ボディ
５    ブラシ毛
６    側壁
７    端壁
８    包絡線
９    自由端
１１  包絡線
１２  領域
【図１】
2007044524.tif 000003
【図２】
2007044524.tif 000004
【図３】
2007044524.tif 000005
【図４】
2007044524.tif 000006
【図５】
2007044524.tif 000007